【手続補正書】
【提出日】平成20年3月18日(2008.3.18)
【手続補正１】
【補正対象書類名】特許請求の範囲
【補正対象項目名】全文
【補正方法】変更
【補正の内容】
【特許請求の範囲】
【請求項１】
符号化された複数のピクチャをランダムアクセス可能なアクセス単位ごとに含んで構成される複数の符号化ストリームを、他の情報とともに多重化する多重化装置であって、
切り替え元となる第１のアクセス単位から、前記複数の符号化ストリームにおいて再生開始時刻と再生終了時刻が同一であるアクセス単位の中から選択した切り替え先となる第２のアクセス単位へとアングルを切り替えて、あるいは同一アングルを連続的に復号する際、前記両アクセス単位のそれぞれにおいて、復号順で先頭のピクチャが復号されてから表示順で先頭のピクチャが表示されるまでの遅延量が同一となるように、その遅延量を決定する第１の決定手段と、
前記第１の決定手段において決定された遅延量となるように、前記両アクセス単位に含まれる複数のピクチャを符号化し、符号化ストリームを生成する生成手段と、
前記他の情報と、前記生成手段で生成された複数の符号化ストリームと、を多重化する多重化手段とを備え、
前記他の情報は、前記両アクセス単位をシームレスに接続することが可能であるか否かを示すフラグを含み、前記フラグの内容は、前記両アクセス単位の遅延量が同一であるか否かに基づいて決定されている
ことを特徴とする多重化装置。
【請求項２】
請求項１記載の多重化装置により生成された多重化データを逆多重化し、表示する再生装置であって、
切り替え元となる第１のアクセス単位から、前記複数の符号化ストリームにおいて再生開始時刻と再生終了時刻が同一であるアクセス単位の中から選択した切り替え先となる第２のアクセス単位へとアングルを切り替えて、あるいは同一アングルを連続的に復号する際、前記多重化データから前記フラグを分離するフラグ分離手段と、
前記フラグ分離手段により分離されたフラグが、前記両アクセス単位をシームレスに接続することが可能であることを示している場合に、表示開始時における先頭のアクセス単位の前記遅延量を決定する第２の決定手段と、
前記第２の決定手段において決定された遅延量に基づき、前記両アクセス単位をアングルを切り替えて、あるいは、同一アングルを連続的に復号して表示する表示手段と
を備えることを特徴とする再生装置。
【請求項３】
符号化された複数のピクチャをランダムアクセス可能なアクセス単位ごとに含んで構成される複数の符号化ストリームを、他の情報とともに多重化する多重化方法であって、
切り替え元となる第１のアクセス単位から、前記複数の符号化ストリームにおいて再生
開始時刻と再生終了時刻が同一であるアクセス単位の中から選択した切り替え先となる第２のアクセス単位へとアングルを切り替えて、あるいは同一アングルを連続的に復号する際、前記両アクセス単位のそれぞれにおいて、復号順で先頭のピクチャが復号されてから表示順で先頭のピクチャが表示されるまでの遅延量を等しくすることで、アングルの切り替えを行う２つのアクセス単位の接続点で表示されるピクチャ間にギャップ及びオーバーラップが生じないように、前記１つ又は複数の符号化ストリームを生成する符号化ステップと、
前記両アクセス単位をシームレスに接続することが可能であるか否かを示すフラグを含む前記他の情報と、前記符号化ステップで生成された複数の符号化ストリームと、を多重化する多重化ステップと
を備えることを特徴とする多重化方法。
【請求項４】
多重化データを逆多重化する逆多重化方法であって、
符号化された複数のピクチャをランダムアクセス可能なアクセス単位ごとに含んで構成される複数の符号化ストリームと、切り替え元となる第１のアクセス単位から、前記複数の符号化ストリームにおいて再生開始時刻と再生終了時刻が同一であるアクセス単位の中から選択した切り替え先となる第２のアクセス単位へとアングルを切り替えて、あるいは同一アングルを連続的に復号する際、前記両アクセス単位をシームレスに接続することが可能であるか否かを示すフラグを含む他の情報とを有する多重化データから前記フラグを分離するフラグ分離ステップと、
前記フラグ分離ステップにより分離されたフラグが、前記両アクセス単位をシームレスに接続することが可能であることを示している場合に、最初に再生するアクセス単位において最初に復号するピクチャの復号時刻と、前記最初に再生するアクセス単位において最初に表示するピクチャの表示時刻との差分を示す復号遅延に従って前記両アクセス単位をアングルを切り替えて、あるいは、同一アングルを連続的に再生すると決定する決定ステップと、
前記復号遅延を用いて前記両アクセス単位をアングルを切り替えて、あるいは、同一アングルを連続的に復号して再生する再生ステップと
を備えることを特徴とする逆多重化方法。
【請求項５】
符号化された複数のピクチャをランダムアクセス可能なアクセス単位ごとに含んで構成される複数の符号化ストリームが、他の情報とともに多重化された多重化データを記録した記録媒体であって、
切り替え元となる第１のアクセス単位から、前記複数の符号化ストリームにおいて再生開始時刻と再生終了時刻が同一であるアクセス単位の中から選択した切り替え先となる第２のアクセス単位へとアングルを切り替えて、あるいは同一アングルを連続的に復号する際、前記両アクセス単位のそれぞれにおいて、復号順で先頭のピクチャが復号されてから表示順で先頭のピクチャが表示されるまでの遅延量を等しくすることで、前記両アクセス単位の接続点で表示されるピクチャ間にギャップ及びオーバーラップが生じない構造を有し、
前記両アクセス単位をシームレスに接続することが可能であるか否かを示すフラグを含む前記他の情報と、前記複数の符号化ストリームと、を有している多重化データが記録されたコンピュータ読み取り可能な記録媒体。
【請求項６】
符号化された複数のピクチャをランダムアクセス可能なアクセス単位ごとに含んで構成される複数の符号化ストリームを、他の情報とともに多重化された多重化データをコンピュータ読み取り可能な記録媒体に記録する記録方法であって、
切り替え元となる第１のアクセス単位から、前記複数の符号化ストリームにおいて再生開始時刻と再生終了時刻が同一であるアクセス単位の中から選択した切り替え先となる第２のアクセス単位へとアングルを切り替えて、あるいは同一アングルを連続的に復号する
際、前記両アクセス単位のそれぞれにおいて、復号順で先頭のピクチャが復号されてから表示順で先頭のピクチャが表示されるまでの遅延量を等しくすることで、アングルの切り替えを行う２つのアクセス単位の接続点で表示されるピクチャ間にギャップ及びオーバーラップが生じないように、前記１つ又は複数の符号化ストリームを生成する符号化ステップと、
前記両アクセス単位をシームレスに接続することが可能であるか否かを示すフラグを含む前記他の情報と、前記符号化ステップで生成された複数の符号化ストリームと、を多重化する多重化ステップと
前記多重化ステップにおいて多重化された多重化データを記録媒体に記録する記録ステップと
を備えることを特徴とする記録媒体への記録方法。
【請求項７】
多重化データが記録されたコンピュータ読み取り可能な記録媒体と、前記記録媒体から前記多重化データを読み取り逆多重化する逆多重化装置から構成される逆多重化システムであって、
前記記録媒体に記録された多重化データは、
符号化された複数のピクチャをランダムアクセス可能なアクセス単位ごとに含んで構成される複数の符号化ストリームと、
切り替え元となる第１のアクセス単位から、前記複数の符号化ストリームにおいて再生開始時刻と再生終了時刻が同一であるアクセス単位の中から選択した切り替え先となる第２のアクセス単位へとアングルを切り替えて、あるいは同一アングルを連続的に復号する際に前記両アクセス単位をシームレスに接続することが可能であるか否かを示すフラグを含む前記他の情報とを有し、
前記記録媒体から前記多重化データを読み取り逆多重化する逆多重化装置は、
前記多重化データから前記フラグを分離するフラグ分離手段と、
前記フラグ分離手段により分離されたフラグが、前記両アクセス単位をシームレスに接続することが可能であることを示している場合に、最初に再生するアクセス単位において最初に復号するピクチャの復号時刻と、前記最初に再生するアクセス単位において最初に表示するピクチャの表示時刻との差分を示す復号遅延に従って前記両アクセス単位をアングルを切り替えて、あるいは、同一アングルを連続的に再生すると決定する決定手段と、
前記復号遅延を用いて前記両アクセス単位をアングルを切り替えて、あるいは、同一アングルを連続的に復号して再生する再生手段と
を備えることを特徴とする逆多重化システム。